(57)【要約】【課題】クッション性を失わないと同時に、変形，撓み，湾曲，ソリ等を軽減し、段差等も生じることなく、長期間安定した敷設が得られ、さらに、摩擦抵抗の低減により足元への負担が軽減できると同時に、摩擦抵抗の低減により敷設体及び葉片保持体等の消耗を軽減できる。【解決手段】弾性を有する基板３と、帯状に形成された芝生模造葉片体２とを備え、基板３から芝生模造葉片体２の根部２ａより先端側が上方突出するように、芝生模造葉片体２の根部２ａが埋設されている。【選択図】      図１
2004183327.tif 000002
【特許請求の範囲】
【請求項１】
ゴム又は合成樹脂からなる弾性を有する基板（３）と、帯状に形成された芝生模造葉片体（２）とを備え、基板（３）から芝生模造葉片体（２）の根部（２ａ）より先端側が上方突出するように、芝生模造葉片体（２）の根部（２ａ）が基板（３）に埋設されていることを特徴とする人工芝生。
【請求項２】
前記帯状の芝生模造葉片体（２）は複数設けられ、該芝生模造葉片体（２）が複数列平行に並設されていることを特徴とする請求項１に記載の人工芝生。
【請求項３】
前記帯状の芝生模造葉片体（２）は複数設けられ、一方の芝生模造葉片体（２）と他方の芝生模造葉片体（２）とが互いに交差する方向に配置されていることを特徴とする請求項１に記載の人工芝生。
【請求項４】
前記芝生模造葉片体（２）は、帯状方向に配置された多数の芝生模造葉片（４）と、該多数の芝生模造葉片（４）の根部を挟持する取付帯体（５）とを有し、多数の芝生模造葉片（４）の根部が、取付帯体（５）に固定されていることを特徴とする請求項１〜３のいずれかに記載の人工芝生。
【請求項５】
請求項１〜３のいずれかに記載の人工芝生の製造方法であって、
基板（３）の上面（３ａ）側に切り込み（６）を設け、この切り込み（６）に芝生模造葉片体（２）の根部（２ａ）を挿入し、接着若しくは溶着固定することにより、基板（３）に芝生模造葉片体（２）の根部（２ａ）を埋設したことを特徴とする人工芝生の製造方法。
【発明の詳細な説明】
【０００１】
【発明の属する技術分野】
本発明は、例えば屋内外の遊具等（ブランコや滑り台，グローブジャングル等）下に敷設して使用する、人工芝生及びその製造方法に関するものである。
【０００２】
【従来の技術】
従来、遊具下に使用されている敷物として、図１７に示すように、弾性体のみによる板状のもの５１がある。
そして、図２１に示すように、人工芝生５２を砂土５３中に埋設するものがある（例えば特許文献１）。
さらに、図２２に示すように、弾性を有する芝生基板５４の嵌合孔５５に葉片保持体５６を内嵌保持し、隣り合う芝生基板５４同志を互いに固定する人工芝生５７がある（例えば特許文献２）。
【０００３】
【特許文献１】
特公平０３−４０７６２
【特許文献２】
特公平０３−４０７６１
【０００４】
【発明が解決しようとする課題】
しかしながら、上記図１７に示すように、弾性体のみによる板状のもの５１については、以下の不都合が生じる。すなわち、図１８に示すように、弾性体単体のみでは、外部荷重に対応し易い為、荷重Ｐ’が加わると、荷重Ｐ’による伸縮が生じる。伸縮が生じることにより、図１９に示すように、反発がおこり上下に歪む。つまり、図２０に示すように、弾性体単体のみでは、荷重Ｐ’を受けると、荷重点Ｑ’に向かって収縮が生じる為、変形，撓み，湾曲，ソリ等が発生する。従って、弾性体のみによる板状のもの５１は、長期間安定した敷設が得られない。さらに、荷重Ｐ’の際に伴う摩擦抵抗も大きく、弾性体に荷重Ｐ’をおこす対象（例えば足元等）に負担をかけると同時に、弾性体のみによる敷設体の消耗が早くなる。
【０００５】
また、図２１に示すように、人工芝生５２を砂土５３中に埋設するものについては、使用の継続により、砂土５３が固められクッション性が失われる。従って、子供等に対する快適性に欠けるなどの不都合があった。
また、図２２に示すように、弾性を有する芝生基板５４の嵌合孔５５に葉片保持体５６を内嵌保持し、隣り合う弾性を有する芝生基板５４同志を互いに固定する人工芝生５７については、以下の不都合が生じる。すなわち、図２３に示すように、単体で各々独立した弾性を有する芝生基板５４に対して、荷重Ｐ”が部分的でしかも非常に大きな荷重衝撃として加わる。この場合図２２に示すように、弾性を有する芝生基板５４同士を互いに固定したものでは、図２４に示すように荷重Ｐ”が加わった部分と加わらなかった部分との間に段差が生じる。また、図２５に示すように隣り合う弾性を有する芝生基板５４同志の間に荷重Ｐ”が加わり、荷重点Ｑ”から隣り合う芝生基板５４がそれぞれ左右に傾斜する。これにより、芝生基板５４等の消耗が早くなるという不都合が生じる。さらに、これらの不都合に加えて、部分衝撃である為、衝撃緩和が充分に果たせず、嵌合孔５５に内嵌保持したにすぎない葉片保持体５６にも影響をあたえる。
【０００６】
本発明は上記問題点に鑑み、クッション性を失わないと同時に、変形，撓み，湾曲，ソリ等を軽減し、段差等も生じることなく、長期間安定した敷設が得られ、さらに、摩擦抵抗の低減により足元への負担が軽減できると同時に、摩擦抵抗の低減により敷設体及び葉片保持体等の消耗を軽減できる、人工芝生を提供することを目的とする。
【０００７】
【課題を解決するための手段】
上記目的を達成するために、本発明は次の手段を講じた。
即ち、本発明の人工芝生は、ゴム又は合成樹脂からなる弾性を有する基板３と、帯状に形成された芝生模造葉片体２とを備え、基板３から芝生模造葉片体２の根部２ａより先端側が上方突出するように、芝生模造葉片体２の根部２ａが埋設されていることを特徴とする。
前記帯状の芝生模造葉片体２は複数設けられ、該芝生模造葉片体２が複数列平行に並設されていることが好ましい。
【０００８】
前記帯状の芝生模造葉片体２は複数設けられ、一方の芝生模造葉片体２と他方の芝生模造葉片体２とが互いに交差する方向に配置されていることが好ましい。前記芝生模造葉片体２は、帯状方向に配置された多数の芝生模造葉片４と、該多数の芝生模造葉片４の根部を挟持する取付帯体５とを有し、多数の芝生模造葉片４の根部が、取付帯体５に固定されていることが好ましい。
前記記載の人工芝生の製造方法としては、基板３の上面３ａ側に切り込み６を設け、この切り込み６に芝生模造葉片体２の根部２ａを挿入し、接着若しくは溶着固定することにより、基板３に芝生模造葉片体２の根部２ａを埋設したことが好ましい。
【０００９】
【発明の実施の形態】
以下、本発明を図示の実施の形態に従って説明する。
図面は本発明の一実施形態を示している。図１〜図６において、１は本発明の人工芝生で、帯状に形成された芝生模造葉片体２と、芝生模造葉片体２の根部２ａを埋設するための弾性を有する基板３とを、有している。
芝生模造葉片体２は、図１，図３に示すように、複数設けられ、複数列平行に並設されている。また、芝生模造葉片体２は、図４に示すように、帯状方向に配置された多数の芝生模造葉片４と、芝生模造葉片体２の根部２ａに相当するものであって、該多数の芝生模造葉片４の根部を挟持するための一対の取付帯体５とを、有している。
【００１０】
芝生模造葉片４は、合成繊維等を使用する。これらの繊維を細い帯状線材に形成し、同じ長さに切断加工することで、多数の芝生模造葉片４が形成される。
前記取付帯体５は、ゴム，合成樹脂などの弾性のあるものを使用する。この場合、弾性基板３よりも剛性の大きな材質のものを使用することが好ましい。次に、多数の芝生模造葉片４の根部を一対の取付帯体５によって挟持する手段は、ウェルダー加工による熱溶着を用いられるのが好ましいが、これに限定されず、接着剤による接着等によって挟持してもよい。
【００１１】
基板３は、板状であり、その材質はゴム又は弾性に富む合成樹脂等によって形成されている。なお、該基板３は、その用途に応じ形状や大きさは図示のものに限定されるものではない。基板３の上面３ａには、芝生模造葉片体２の根部２ａを埋設するため、前記取付帯体５の長さに対応した切り込み６が設けられている。
かくして、基板３に芝生模造体２の根部２ａを埋設するのであるが、その固定する方法の１例としては、根部２ａの表面に該当する取付帯体５の表面に接着剤を塗布した後、該取付帯体５を切り込み６に挿入し、接着固定する。これにより、取付帯体５が基板３に固定される。
【００１２】
上記実施の形態の作用を以下のように（図５，図６参照）説明する。
まず、図５に示すように、弾性を有する基板３よりも剛性のある取付帯体５が埋設されているので、弾性を有する基板３のみによる剛性のときより、図５の状態での全体の剛性が上がっている。これにより、図５に示すように、荷重Ｐが芝生模造葉片体２の短手方向に沿って加わると、全体の剛性が上昇している為、弾性を有する基板３に対する変形，撓み，湾曲，反り等が軽減される。
一方、図６に示すように、荷重Ｐが芝生模造葉片体２の長手方向に沿って加わると、荷重Ｐを加える方向に対し、剛性のある取付帯体５が長手方向に埋設されている為、弾性を有する基板３に対する変形，撓み，湾曲，反り等をより発生しにくい状況になる。
【００１３】
つまり、基板３に対する変形，撓み，湾曲，反り等の不都合を軽減する為、長期間安定した敷設が得られる。
これにより、従来例の弾性体のみによる板状のもの５１では、変形，撓み，湾曲，反り等の不都合を解消する為に、より厚みを加えるか、弾性体のみによる板状のもの５１に硬さを加えなければならなかったが、弾性を有する基板３の厚みを必要とせず、硬さも加えずに、基板３を使用できる。
また、基板３から芝生模造葉片４の根部より先端側が上方突出されている為、屋内外の遊具等（例えば、ブランコや滑り台，グローブジャングル等）に於いて、子供等が遊んだり、運動する際等に、子供等に対する快適性を確保することになる。具体的には、摩擦抵抗による足元への負担が軽減されたりする点である。
【００１４】
さらに、クッション性のある芝生模造葉片４を介して、荷重Ｐが基板３に加わる為、芝生模造葉片４を介さずに基板３に荷重を加える場合よりも、基板３に対する消耗や損傷をより軽減することが可能になる。
そして、弾性を有する基板３は、１枚の板状に形成されている為、従来例の図２３に示すように、単体で各々独立した弾性を有する芝生基板５４に部分荷重Ｐ”が加わる場合よりも、基板３全体で衝撃を充分に緩和吸収できる。従って、従来例の図２４示すような段差や、従来例の図２５に示すような傾斜が生じにくくなり、基板３の消耗や損傷をより軽減することが可能になる。また、衝撃を充分に緩和吸収できるため、基板３だけでなく、取付帯体５，芝生模造葉片４等の消耗や損傷もより軽減することが可能になる。
【００１５】
なお、前記実施の形態では、１枚の板状に形成されている基板３が使用されているが、これに代え、複数枚の基板３を連結するように構成するもの、すなわち図７，図８に示すように、芝生模造葉片体２の短手方向一端及び芝生模造葉片体２の長手方向一端に外方突設した係合凸部７が設けられ、芝生模造葉片体２の短手方向他端及び芝生模造葉片体２の長手方向他端に係合凸部７の形状に対応した係合凹部８が設けられるようにしてもよい。図８に示すように、２つ以上の基板３，３を、芝生模造葉片体２の長手方向及び短手方向に並べたときに、これら係合凸部７及び係合凹部８は、使用される。このように並べたうえで、隣接する基板３，３どうしにおける一方の係合凹部８に他方の係合凸部７を係合する。これにより、２つ以上の基板３，３を着脱自在に連結できるとともに、係合凸部７と係合凹部８との嵌合によって基板３どうしによる段差等も生じない。従って、より様々な形状に対応する敷設が可能になる。なお、前記基板３の形状は如何なるものでもよい。
【００１６】
また、前記実施の形態では、１枚の板状に形成されている基板３の上面３ａに、芝生模造葉片体２の根部２ａの形状に対応した切り込み６を、複数列平行に設けたうえで、取付帯体５の表面に、接着剤を塗布した後、取付帯体５を切り込み６に挿入するようになっているが、これに代え、以下のように（図９，図１０参照）形成してもよい。
まず、図９に示すように、芝生模造葉片体２を、単列かつ長手方向全長に亘って上方突出状に埋設するための、弾性を有する基板３を設ける。この基板３の上面３ａに、前記実施形態と同様に芝生模造葉片体２の埋設する部分の形状に対応した切り込みを設けたうえで、芝生模造葉片２の埋設する部分の表面に接着剤を塗布し、切り込みに埋設したものを、複数設ける。そして、芝生模造葉片体２の短手方向に沿って基板３を複数に亘って並設し、隣接する基板３，３どうしを接着固定するようにしてもよい。これにより、様々な形状に対応する敷設が可能になる。
【００１７】
さらに、図１０に示すように、芝生模造葉片体２を長手方向全長に亘って上方突出状に挟持固定するための、弾性を有する基板３を複数設ける。この隣接する基板３，３に接する基板の接触面３ｂを、芝生模造葉片体２の挟持固定される部分の形状に対応してコ字状に屈曲する。芝生模造葉片体２の短手方向に沿って、基板３を複数に亘って並設する。このうえで、隣接する基板３，３間に設けられ、コ字状に屈曲した屈曲部分９に、芝生模造葉片２の埋設する部分、すなわち芝生模造葉片体２を挟持固定する部分の表面に接着剤を塗布した状態のものを挿入し、固定してもよい。コの字状に屈曲することにより、より確実に芝生模造葉片体２を挟持固定することができ、部分衝撃による基板３，３間の消耗や損傷を未然に防ぐ効果を有する。
【００１８】
また、前記実施の形態では、基板３の上面３ａに、芝生模造葉片体２を複数列平行に設けているが、これに代え、図１１に示すように、芝生模造葉片体２が複数設けられ、一方の芝生模造葉片体２と他方の芝生模造葉片体２とが互いに交差する方向に配置されるように構成してもよい。これにより、基板３に対し任意の方向から荷重が加わったとしても、荷重を加える方向に対し、剛性のある取付帯体５がほぼ長手方向に埋設されている箇所が存在する為、弾性を有する基板３に対する変形，撓み，湾曲，反り等が軽減される。これにより、長期間安定した敷設が得られる。さらに、芝生模造葉片体２を、丸みを帯びた円状等や、細切れにした上で任意の方向に設けてもよい（図示省略）。
【００１９】
そして、前記実施の形態では、基板３は、板状であるように形成されているが、これに代え、以下のように形成してもよい。まず、芝生模造葉片体２の各列間等に上下方向に貫通した排水用の穴を設ける（図示省略）。次に、図１２に示すように、基板３の接地面に凹部１０を設けて、基板３の弾性効果をより高め、併せて凹部１０と排水用の穴とを連通して排水性を確保してもよい。これにより、人工芝生１の消耗を軽減する作用も生ずる。
さらに、前記実施の形態では、基板３は、板状であるように形成されているが、これに代え、以下のように（図１３，図１４参照）形成してもよい。弾性を有する基板３は、断面逆Ｕ字状になっている１条の突隆部１１と、隣接する突隆部１１，１１を連結するための接地部１２とを設け、該突隆部１１の内面に亘って、突隆部１１と直交方向に形成される保形リブ１３を突隆部１１の長手方向複数箇所に設け、一体成形されている。上記の突隆部１１を設けることにより、基板３は弾性変形が容易になる。しかし、この突隆部１１に保形リブ１３が形成されている為、基板３は不慮に破損することなく、適度の強度を保持する。
【００２０】
そして、図１３，図１４の状態のうえで、図１５に示すように、接地部１２の上に、隣接する突隆部１１，１１の高さと同程度となるように、砂土１４を補充してもよい。突隆部１１と砂土１４の高さを同程度とすることで、基板３の上面が略フラットとなるため、基板３の意匠性が向上する。接地部１２の上に砂土１４を補充することで、芝生模造葉片体２の起立性をより高めるため、芝生模造葉片体２の保護をより強化することが可能になる。それらの一方で、砂土１４の補充は、接地部１２上のみであるため、使用の継続によりクッション性が失われることはない。
【００２１】
なお、前記実施の形態では、図４に示すように、多数の芝生模造葉片４の根部を一対の取付帯体５によって挟持しているが、これに代え、図１６に示すように、単独の取付帯体５を２つ折りにしたうえで、多数の芝生模造葉片４の根部を挟持してもよい。
なお、前期実施の形態では、基板３に芝生模造葉片体２の根部２ａを埋設して固定する方法として、切り込み６に芝生模造葉片体２の根部２ａを挿入した上で、接着剤による固定する方法が用いられているが、これに代え、基板３を成形する際に、芝生模造葉片体２の根部２ａが基板３に埋設されるように、芝生模造葉片体２を射出成形により、基板３を成形する方法を用いてもよい。
【００２２】
【発明の効果】
本発明によれば、クッション性を失わないと同時に、変形，撓み，湾曲，ソリ等を軽減し、段差等も生じることなく、長期間安定した敷設が得られ、さらに、摩擦抵抗の低減により足元への負担が軽減できると同時に、摩擦抵抗の低減により敷設体及び葉片保持体等の消耗を軽減できる。
【図面の簡単な説明】
【図１】本発明の一実施形態を示す人工芝生の平面図である。
【図２】図１におけるＡ−Ａ線断面図である。
【図３】図１におけるＢ−Ｂ線断面図である。
【図４】図１の芝生模造葉片体の正面図である。
【図５】作用説明用の図１におけるＣ−Ｃ線断面図である。
【図６】作用説明用の図１におけるＤ−Ｄ線断面図である。
【図７】他の実施の形態を示す斜視図である。
【図８】同平面図であって、複数の人工芝生を連結する前の図である。
【図９】他の実施の形態を示す正断面図である。
【図１０】他の実施の形態を示す正断面図である。
【図１１】他の実施の形態を示す平面図である。
【図１２】他の実施の形態を示す側断面図である。
【図１３】他の実施の形態を示す正断面図である。
【図１４】同人工芝生の断面斜視図である。
【図１５】他の実施の形態を示す正断面図である。
【図１６】他の実施の形態を示す芝生模造葉片体の正面図である。
【図１７】従来例１を示す正面図である。
【図１８】同従来例１の問題点説明用の正面図である。
【図１９】同従来例１の問題点説明用の正面図である。
【図２０】同従来例１の問題点説明用の平面図である。
【図２１】従来例２を示す正断面図である。
【図２２】従来例３を示す正断面図である。
【図２３】同従来例３の問題点説明用の正面図である。
【図２４】同従来例３の問題点説明用の正面図である。
【図２５】同従来例３の問題点説明用の正面図である。
【符号の説明】
１            人工芝生
２      芝生模造葉片体
２ａ    根部
３      基板
３ａ    上面
３ｂ    接触面
４      芝生模造葉片
５      取付帯体
６      切り込み
７      係合凸部
８      係合凹部
９      屈曲部分
１０    凹部
１１    突隆部
１２    接地部
１３    保形リブ
１４    砂土
５１    弾性体のみによる板状のもの
５２    人工芝生
５３    砂土
５４    芝生基板
５５    嵌合孔
５６    葉片保持体
５７    人工芝生
【図１】
2004183327.tif 000003
【図２】
2004183327.tif 000004
【図３】
2004183327.tif 000005
【図４】
2004183327.tif 000006
【図５】
2004183327.tif 000007
【図６】
2004183327.tif 000008
【図７】
2004183327.tif 000009
【図８】
2004183327.tif 000010
【図９】
2004183327.tif 000011
【図１０】
2004183327.tif 000012
【図１１】
2004183327.tif 000013
【図１２】
2004183327.tif 000014
【図１３】
2004183327.tif 000015
【図１４】
2004183327.tif 000016
【図１５】
2004183327.tif 000017
【図１６】
2004183327.tif 000018
【図１７】
2004183327.tif 000019
【図１８】
2004183327.tif 000020
【図１９】
2004183327.tif 000021
【図２０】
2004183327.tif 000022
【図２１】
2004183327.tif 000023
【図２２】
2004183327.tif 000024
【図２３】
2004183327.tif 000025
【図２４】
2004183327.tif 000026
【図２５】
2004183327.tif 000027